(57)【要約】立っている患者に対する位置決めのために垂直に移動可能である放射線源および放射線検出器と、取得された画像データに基づいて出力可能な画像を作成するための画像処理装置とを備えた放射線画像撮影装置において、ディジタル放射線検出器（３）の活性面の高さを越える検査範囲の撮影のために、放射線源（２）および放射線検出器（３）が相前後する画像撮影位置（Ｉ，ＩＩ，ＩＩＩ）へ制御装置（１０）を介して制御されて移動可能であり、画像撮影位置（Ｉ，ＩＩ，ＩＩＩ）においてそれぞれ１つの放射線画像（Ｂ１，Ｂ２，Ｂ３）が撮影され、画像撮影位置（Ｉ，ＩＩ，ＩＩＩ）は撮影された放射線画像（Ｂ１，Ｂ２，Ｂ３）が検査範囲を含むように定められ、画像処理装置（１１）は、個々の放射線画像（Ｂ１，Ｂ２，Ｂ３）の画像データに基づいて、検査範囲全体を表示する全体画像（Ｇ）を作成するように構成されている。
2006500126.tif 000002
【特許請求の範囲】
【請求項１】
立っている患者に対する位置決めのために垂直に移動可能である放射線源および放射線検出器と、取得された画像データに基づいて出力可能な画像を作成するための画像処理装置とを備えた放射線画像撮影装置において、ディジタル放射線検出器（３）の活性面の高さを越える検査範囲の撮影のために、放射線源（２）および放射線検出器（３）が相前後する画像撮影位置（Ｉ，ＩＩ，ＩＩＩ）へ制御装置（１０）を介して制御されて移動可能であり、画像撮影位置（Ｉ，ＩＩ，ＩＩＩ）においてそれぞれ１つの放射線画像（Ｂ１，Ｂ２，Ｂ３）が撮影され、画像撮影位置（Ｉ，ＩＩ，ＩＩＩ）は撮影された放射線画像（Ｂ１，Ｂ２，Ｂ３）が検査範囲を含むように定められ、画像処理装置（１１）は、個々の放射線画像（Ｂ１，Ｂ２，Ｂ３）の画像データに基づいて、検査範囲全体を表示する全体画像（Ｇ）を作成するように構成されていることを特徴とする放射線画像撮影装置。
【請求項２】
制御装置（１０）は、検査範囲の高さとディジタル放射線検出器（３）の活性面の高さとに基づいてそれぞれの画像撮影位置（Ｉ，ＩＩ，ＩＩＩ）を自動的に決定するように構成されていることを特徴とする請求項１記載の放射線画像撮影装置。
【請求項３】
放射線源（２）および放射線検出器（３）が同期して移動可能であることを特徴とする請求項１又は２記載の放射線画像撮影装置。
【請求項４】
１つの画像撮影影位置（Ｉ，ＩＩ，ＩＩＩ）から次の画像撮影位置への移動並びにそれぞれの画像撮影位置（Ｉ，ＩＩ，ＩＩＩ）での画像撮影が自動的に行なわれることを特徴とする請求項１乃至３の１つに記載の放射線画像撮影装置。
【請求項５】
画像撮影位置は、２つの相前後して撮影された画像（Ｂ１，Ｂ２，Ｂ３）が縁側で部分的に重なるように定められていることを特徴とする請求項１乃至４の１つに記載の放射線画像撮影装置。
【請求項６】
画像撮影位置（Ｉ，ＩＩ，ＩＩＩ）は、２つの相前後して撮影された画像（Ｂ１，Ｂ２，Ｂ３）がほぼ直接につながるように定められていることを特徴とする請求項１乃至４の１つに記載の放射線画像撮影装置。
【請求項７】
画像処理装置（１１）は、重なり範囲（Ｕ１，Ｕ２）の解析またはつなぎ合わせるべき縁範囲における画像（Ｂ１，Ｂ２，Ｂ３）の解析と、その後における画像（Ｂ１，Ｂ２，Ｂ３）の整列とによって、２つの相前後して撮影された画像（Ｂ１，Ｂ２，Ｂ３）をつなぎ合わせるように構成されていることを特徴とする請求項５又は６記載の放射線画像撮影装置。
【請求項８】
全体画像（Ｇ）は縮小サイズでハードコピーとして又はモニタ（１２）に出力可能であることを特徴とする請求項１乃至７の１つに記載の放射線画像撮影装置。
【請求項９】
全体画像（Ｇ）は、モニタ（１２）に撮影サイズ又はそれより大きなサイズで出力可能であり、モニタ（１２）においてスクロールによって移動可能であることを特徴とする請求項１乃至８の１つに記載の放射線画像撮影装置。
【請求項１０】
放射線源（２）および放射線検出器（３）は伸縮自在の床上又は天井スタンド（４，６）に配置されていることを特徴とする請求項１乃至９の１つに記載の放射線画像撮影装置。
【請求項１１】
患者の保持装置（８）を備えた患者（Ｐ）用の台（７）が設けられていることを特徴とする請求項１乃至１０の１つに記載の放射線画像撮影装置。
【請求項１２】
保持装置は取っ手（８）として構成されていることを特徴とする請求項１１記載の放射線画像撮影装置。
【請求項１３】
台（７）には放射線検出器（３）側に放射線透過板（９）が配置されていることを特徴とする請求項１１又は１２記載の放射線画像撮影装置。
【発明の詳細な説明】
【技術分野】
【０００１】
本発明は、立っている患者に対する位置決めのために垂直に移動可能である放射線源および放射線検出器と、取得された画像データに基づいて出力可能な画像を作成するための画像処理装置とを備えた放射線画像撮影装置に関する。
【０００２】
Ｘ線を用いた現代の診断においては、例えば完全な脊柱や脚範囲の如き大きな検査範囲を骨状態の診断のために検査することがますます頻繁に行なわれる。患者は立った状態で放射線画像撮影装置、つまりＸ線管とＸ線検出器とを含む通常のＸ線装置により走査される。検出器は、その大きさが検査範囲全体を描出するのに十分であるかぎり、一般に４０×１２０ｃｍの大きさのフィルムカセットを有する。この代替として、より小さなフィルムカセットを用いて、検査範囲を描出する複数のメモリフィルム画像を撮影し、引続いて全体画像が生じるようにこれらをはり合わせることは公知である。この方式は手間がかかり複雑であり、しかもメモリフィルムは後で行なわれる現像を必要とし、これは比較的長い時間を要するので、撮影に時間的に接近して診断を行なうことができない。
【０００３】
西独特許出願公開第４２３１５８３号明細書には、横たわった状態の患者においてステップ移動により多数の個別画像を作成するようにした血管撮影のＸ線診断装置が記載されている。個別画像はレーザ画像再生装置の画像メモリに記憶される。画像縁部における走査線は省略されるので、レーザ画像再生装置における検査範囲全体の画像は部分的な重なりなしに印刷される。
【０００４】
本発明の課題は、上述の問題点を除去する放射線画像撮影装置を提供することにある。
【０００５】
この課題を解決するために、ディジタル放射線検出器、従って公知の半導体平面型検出器を有する冒頭に述べた放射線画像撮影装置において、本発明によれば、放射線検出器の活性面の高さを越える検査範囲の撮影のために、放射線源および放射線検出器が相前後する画像撮影位置へ制御装置を介して制御されて移動可能であり、画像撮影位置においてそれぞれ１つの放射線画像が撮影され、画像撮影位置は撮影された放射線画像が検査範囲を含むように定められ、画像処理装置は、個々の放射線画像の画像データに基づいて、検査範囲全体を表示する全体画像を作成するように構成されている。
【０００６】
本発明は検査範囲のステップ状走査を推奨する。その場合、各定められた画像撮影位置で放射線画像が撮影される。中央の制御装置は放射線源および放射線検出器をそれぞれ定められた画像撮影位置に制御し、画像撮影後の画像が放射線検出器から読出され、画像処理装置に伝送される。多数の画像撮影により検査範囲全体が走査されたならば、画像処理装置において、個々の放射線画像のデータに基づいて、検査範囲全体を表示する１つの全体画像が計算により作成される。引続いてこの全体画像を出力して診断を下すことができる。
【０００７】
従来技術に比べて本発明による放射線画像撮影装置は一連の利点を有する。一方では全体画像の作成が非常に速やかに進行する。というのは画像処理装置は十分な設計をすれば全体画像を最後の個別画像の作成直後に即座に算出することができるからでる。従って、診断は最後の個別画像のほぼ撮影直後に行なうことができる。更に、好ましいことに、画像処理装置によって唯一の全体画像を作成し、作成後直ちに出力できる。従って、もはや、面倒で時間のかかる現像をしたり、現像後に付加的になおも個別画像を接着したりする必要がない。更に、他の著しい利点は、この全体画像を容易に患者データ管理所に保管できることにあり、このことは適当なデータ媒体への保存によって、従来におけるメモリフィルムの通常の保管よりも遥かに簡単に行なうことができる。
【０００８】
更に、他の著しい利点は、上記に規定した撮影技術の実施に使用できる装置として通常の胸部撮影装置または骨格撮影装置を使用できることにあり、通常の胸部撮影装置または骨格撮影装置は、それ相応に設計されなければならない画像処理装置に関する優先事項を除いて、このために極端に大きく変更される必要はない。
【０００９】
全体的に、本発明による放射線画像撮影装置は、放射線検出器の活性面よりも明らかに大きい大検査範囲の全体画像を高速で複雑でなくしかも説得力をもって作成可能にする。
【００１０】
本発明の実施態様において、制御装置は、検査範囲の高さとディジタル放射線検出器の活性面の高さとに基づいてそれぞれの画像撮影位置を自動的に決定するように構成されている。従って、本来の画像撮影の前に、医師はどの検査範囲を走査したいのかを決定する。例えば踵から大腿骨頸部までの左脚が検査されるものとする。医師は患者のこのパラメータを制御装置に入力し、制御装置は、放射線検出器の既知の活性面に基づいて、つまり画像撮影に積極的に利用され従ってＸ線を画像データに変換する検出器面に基づいて、放射線源および放射線検出器を自動的に移動させなければならない画像撮影位置を算出する。この方式は、放射線検出器の活性面が可変でない場合にも、活性面が可変である検出器、すなわち医師が本来の画像撮影に使用したい特定の検出器範囲を選択することができる検出器の場合にも可能である。この活性面は、説明したように、制御装置にとって既知であり、従って垂直移動に関する活性面の高さも既知であるので、重要な画像撮影位置が自動的に容易に求められ、自動的に到着することができる。
【００１１】
放射線源および放射線検出器は同期して移動され、すなわちそれらは同時に１つの画像撮影位置から次の画像撮影位置まで走行すると望ましい。勿論、まず一方の構成要素が移動され、しかる後に他方の構成要素が移動されるような非同期の移動も必要である。移動が常に対称的に行なわれる、すなわちいつも同じ行程区間だけ行なわれるので、放射線源および放射線検出器は、立っている患者が走査される撮影の場合に、常に水平な平面内で対向し、従ってそれらはいつも同一平面内にある。
【００１２】
１つの画像撮影位置から次の画像撮影位置までの移動並びにそれぞれの画像撮影位置における画像撮影は自動的に行なわれると好ましい。従って、画像撮影が開始されると、個々の画像撮影位置を求めた後に制御装置は、放射線源と、例えば４０×４０ｃｍの画像検出器である放射線検出器とを、両構成要素が常に基底位置としては搬送される初期位置から第１の画像撮影位置へ移動させる。これが達せられたならば自動的に画像撮影が行なわれ、撮影された個別画像の読出し後に放射線源および放射線検出器が次の画像撮影位置へ走行させられ、そこで新たに撮影が行なわれる。このプロセスは最後の画像が撮影されるまでの間行なわれ、その後に両構成要素は例えば再び初期位置へ走行させられる。これに並行して画像処理装置が直ちに全体画像の作成のための個別画像データの処理を開始する。これも、医師がスタートボタンを押してから最終的な画像出力までもはや着手する必要がないように自動的に行なわれると望ましい。
【００１３】
既述のように、画像処理装置は、個別画像に基づいて、診断目的のために正確に描出され正確に解明された検査範囲全体を示す全体画像を形成するように構成されている。従って、画像処理装置は、検査範囲、例えば下腿の撮影された構造が縁やずれを生じることなく正確に描出されるように、検査範囲の２つの互いに接する画像を互いに位置決めしつなげることができなければならない。このために、本発明の第１の実施態様に基づいて、撮影が行なわれる画像撮影位置は、２つの相前後して撮影された画像が縁側で部分的に重なるように定められていると望ましい。従って、２つの相前後して撮影された画像において縁側で同一の構造が見つかり、これに基づいて画像処理装置は、例えば適切な縁部検出アルゴリズムまたは類似のアルゴリズムの使用によって、画像中におけるこれらの共通性を検出し、両画像相互の正確な向き（整列）を求め、両画像を部分的に重ねることができる。これは勿論、作成された全体画像において重ね合せに起因した縁や輝度相違などが見えないように行なわれる。重ね合わせはあまり大きくなく、４０×４０ｃｍの画像検出器の場合部分的な重なりは例えば３〜５ｃｍが考えられ得る。このように比較的狭い範囲において既に十分な構造上の共通性が存在し、それらの構造上の共通性が画像処理装置による両画像の正確な整列および部分的な重ね合わせを可能にする。
【００１４】
これに対する代替としての本発明の実施態様では、画像撮影位置は、２つの相前後して撮影された画像がほぼ直接につながるように定められている。従ってこの場合には部分的な重なりは数ミリメータしかない。全体画像の作成は、まず、一方では放射線源および放射線検出器を正確に予め定められた画像撮影位置へ走行させることができ、他方では患者が移動しないことに基づいている。両画像はほぼ直接に互いにつながれる。勿論、この場合にも画像処理装置は一致する構造に関する縁範囲の解析を、かかる構造が数ミリメータの部分的な重なり範囲に生じるかぎり行なうことができる。両縁範囲の解析に対する代替として、適切なアルゴリズムを用いて第１の画像および第２の画像において連続する構造を捜すことも考えられ得る。例えば、最初に撮影された画像において骨の縁部が検出されている間に、次に撮影された画像において同様にこの縁部が求められ、縁部が完全に等しく位置決めされ正確に連なるように両画像が互いに位置決めされる。
【００１５】
全体画像は場合によっては縮小サイズでハードコピーとして、例えばメモリフィルムに書き込まれるか、フィルムに露光させられてもよく、あるいはモニタに出力可能であるとよい。高速診断のためには勿論モニタでの出力が不可欠である。その場合に全体画像はモニタに撮影サイズ又はそれより大きなサイズで出力することができる。モニタは勿論撮影された検査範囲よりも小さいので、明らかに大きい全体画像の観察は、モニタにおける全体画像の簡単な移動によって行なわれ、これはスクロールによって可能である。場合によっては構造を更に大きく表示するために、全体画像を本来の撮影サイズよりも拡大して表示させることも勿論可能である。
【００１６】
放射線源および放射線検出器は、簡単な自動的な移動を可能にする、場合によっては伸縮自在の床上又は天井スタンドに配置されていると望ましい。このために、予め制御装置を介して定められたように個別画像を撮影することができるように、それぞれ定められた画像撮影位置への両構成要素の正確な位置決めを可能にする適切な機械装置が設けられている。
【００１７】
構造的な理由から、とりわけ放射線検出器つまり固体検出器は床の直前まで走行させることができない、すなわち活性面はいつもある行程区間だけ床の上方にある。しかしながら、脚撮影のためには少なくとも踵骨が描出されることが必要である。この問題を解消するために、本発明によれば、患者の保持装置を備えた患者用の台が設けられている。患者を立たせるこの台は、容易に踵骨が一緒に必ず撮影されるように、患者の構造に起因するずれを調整する。保持装置は患者が固定されて動かないように立つために設けられている。というのは、複数の個別画像の撮影継続中に患者の位置が変化してはならないからである。
【００１８】
保持装置は、種々の大きさの人が最適にしっかりつかまることができるように、高さ可変の取っ手として構成されているとよい。患者をその位置にしっかり固定する相応のベルト等として保持手段を設計することも考えられ得る。
【００１９】
更に、台には放射線検出器側に、患者が放射線検出器に接触するのを防止する放射線透過板が配置されていると望ましい。
【００２０】
以下において図面に基づいて説明する実施例から、本発明の他の利点、特徴および詳細を明らかにする。
図１は本発明による放射線画像撮影装置の原理図、
図２は全体画像を作成するために３つの個別画像を「融合」表示するための原理図を示す。
【００２１】
図１は、ここではＸ線放射器である放射線源２と、ここではディジタル固体画像検出器である放射線検出器３とからなる本発明による放射線画像撮影装置１を示す。放射線源２は、伸縮自在なポール５を備えたスタンド４に配置され、従って両方向矢印Ａによって示されているように垂直に移動可能である。同じことが放射線検出器３に対しても当てはまり、放射線検出器３もスタンド６に配置され、両方向矢印Ｂによって示されているように同様に垂直に移動可能である。スタンド４は天井に支持されているのに対して、スタンド６は床上スタンドである。
【００２２】
放射線検出器の近くには台７が設けられ、患者は撮影時にこの台７の上に立たなければならない。台７には、一方では、患者がしっかりつかまることのでき垂直に移動可能な取っ手（両方向矢印Ｃ）の形をした両側の保持手段８が配置されている。というのは、患者は画像撮影時に極めて静かにしていなければならないからである。更に、背面側の放射線透過板９が設けられている。この放射線透過板９は保護の理由から配置され、患者が放射線検出器に接触するのを防止する。
【００２３】
更に、本発明による放射線画像撮影装置は中央の制御装置１０を含み、この制御装置１０には画像処理装置１１およびモニタ１２が付設されている。制御装置１０は、種々の画像撮影位置に到着できるように放射線源２および放射線検出器３の垂直移動を正確に制御するためと、画像撮影動作を制御するために用いられる。画像処理装置１１は、撮影された個別画像から、引続いてモニタ１２に表示される全体画像を算出するのに用いられる。
【００２４】
図示の実施例においては、患者Ｐの右脚が撮影され、全体画像として医師に出力されるべきであるとする。このために医師は制御装置１０に、ここでは詳しくは示されていない適当な入力手段（例えばキーボード等）を介して検査範囲つまり右脚の幾何学的なデータを入力する。医師は、検査範囲が垂直線に対してどこからどこまで延びるかを定めなければならない。ここでは、この検査範囲は放射線検出器３の活性面よりも明らかに大きい。そこで検査範囲を正確に全体画像内に描出することを可能にするためには、複数の異なる画像撮影位置における複数の個別撮影を行なう必要があり、その複数の個別撮影から１つの全体画像が算出される。検査範囲の垂直位置および長さが定められたならば、制御装置１０は、検査範囲の個別画像を撮影し個別画像が全体として検査範囲を描出するために放射線源２および放射線検出器３を搬送しなければならない画像撮影位置を算出する。これは制御装置１０によって容易に可能である。なぜならば、制御装置は一方では医師を介する相応のデータの入力に基づいて検査範囲を正確に識別して位置決めし、他方では制御装置１０にとって放射線検出器３の活性面、つまり実際に検査範囲を描出する画像データを発生する面が既知であるからである。これにより、検査範囲を描出するために放射線源２および放射線検出器３が走行しなければならないそれぞれの画像撮影位置を容易に求めることができる。図示の実施例では３つの画像撮影位置が用いられる。制御装置が放射線源および放射線検出器を図示されていない初期位置から出発させて走行させる最下部の画像撮影位置Ｉから始めて、そこで、踵骨から例えば膝下までの患者の脚を示す第１の個別画像の撮影が行なわれる。同様に制御装置１０を介して制御される撮影が行なわれた後に、この第１の画像の画像データが読出されて画像処理装置１１に与えられる。引続いて放射線源２および放射線検出器３が第２の画像撮影位置ＩＩへ搬送され、適切な位置検出手段を介してその都度正確に画像撮影位置が決定される。そこに到着すると、膝下から大腿中央部までの患者の脚を示す第２の個別画像の撮影が行なわれる。この撮影が行なわれて画像データが読出された後に、第３の画像撮影位置ＩＩＩへの第３の移動が行なわれ、そこに到着後、大腿中央部から坐骨までの検査範囲を示す第３の個別画像の撮影が行なわれる。この画像が撮影された際にも、撮影された画像が読出されて画像処理装置１１に与えられ、このとき画像処理装置１１には３つの個別画像が存在する。今や、これらの３つの個別画像に基づいて１つの全体画像が算出され、全体画像がモニタ１２に出力される。
【００２５】
画像撮影位置は、例えば２つの相前後して撮影された個別画像がある部分だけ部分的に重なるように定められる。約４０×４０ｃｍの画像検出器、すなわち有効面が例えば４０×４０である画像検出器の場合、その部分的な重なりは３〜５ｃｍである。これは、画像処理装置１１が適切なアルゴリズムを用いて２つの相前後して撮影された画像内の完全に同一の範囲を検出することができ、縁や輝度相違などなしに統一のとれた全体画像が生じるように２つの画像を正確に互いに位置決めすることができることから望ましいことである。これの代替として、画像がほぼ継ぎ目なしに互いにつながるように画像撮影位置が選択されてもよい。この場合に画像処理装置１１は、適切なアルゴリズムを用いて、２つの相前後して撮影された画像において連続する構造を捜して、両画像を互いに整列させる。
【００２６】
いずれの場合にも、全体の作動は制御走査１０を介して自動的に行なわれる。制御装置にとって検査範囲に関する冒頭に述べたパラメータが既知であるならば、どの画像処理モード（すなわち縁部の部分的な重なりまたは直接的なつながり）が選択されるかに応じて、画像撮影位置が自動的に求められる。画像処理モードは例えば医師自身が選択できる。これをすべて定めたならば、医師は制御装置１０においてスタートボタンを押しさえすればよく、それに従って全ての画像プロセスおよび移動プロセスも画像評価プロセスも自動的に経過する。
【００２７】
場合によってはあり得る検査範囲に関するパラメータの入力に対する代替として、いわば最初と最後に撮影された画像のための画像撮影位置をほぼ規定する第１の画像撮影位置および第２の画像撮影位置に医師が放射線検出器を走行させることによって医師が検査範囲を定めることも当然考えられ得る。ここでは検査範囲の決定は放射線検出器の運動座標系において直接に行なわれる。その後、これらの両画像撮影位置に基づいて、それらの間にあるそれぞれの画像撮影位置が求められる。勿論、検査範囲の全長は、場合によってあり得る部分的な重なりを考慮して、正確に検出器の有効面の高さの倍数にならないこともあり得る。このために、最後の撮影の際に放射線源の相応の絞りによって部分範囲だけを照射することも考えられ得る。従って、検査範囲の位置および長さの規定をどのように行なうことができるかは種々の変形が考えられ得る。
【００２８】
図２は、３つの個別画像に基づいて１つの全体画像がどのようにして作成されるかを原理図の形で示す。図示の例では３つの個別画像Ｂ１，Ｂ２，Ｂ３が撮影された。１番目として、膝のすぐ下までの下腿の大部分を示す個別画像Ｂ１が撮影された。この後に続いて大腿の一部と共に膝を示す個別画像Ｂ２が撮影される。最後に大腿骨頸部と共に大腿の残りを示す個別画像Ｂ３が撮影される。
【００２９】
個別画像相互を簡単に配置するために、画像が部分的に重なるように撮影された。各画像にはその前に撮影された画像に対する部分的な重なり範囲、すなわち撮影された構造が完全に同一の範囲が存在する。これは、画像Ｂ１においては上部の狭い縁範囲Ｕ１である。同様に個別画像Ｂ２は下部の縁に重なり範囲Ｕ１を有すると共に上部の縁に重なり範囲Ｕ２有し、重なり範囲Ｕ２は同様にその後に撮影された個別画像Ｂ３にも存在する。これらの重なり範囲に基づいて、ここで画像処理装置１１は、適切な解析アルゴリズムを用いて、２つの相前後した画像を正確に互いに整列させ、これらを重なり範囲のところで重ね合わせ、それにより足から大腿頸部までの検査範囲全体を示す１つの全体画像Ｇを作成することができる。画像融合は、１つの個別画像から他の個別画像への移行範囲に縁や輝度相違などが生じないように行なわれる。
【００３０】
このようにして作成された全体画像Ｇはモニタ１２に出力される。モニタ１２の画面は検査範囲を１：１で示す全体画像Ｇよりも小さいために、モニタ１２には全体画像Ｇの一部分しか表示することができない。適当なスクロール装置を介して画像は容易にモニタ２において、両方向矢印Ｄで示されているように移動させることができる。
【００３１】
モニタでのディジタル全体画像Ｇの表示のほかに、この全体画像Ｇを記録保管所に保管し、データ媒体、図示の例ではＣＤ−ＲＯＭ１３に記憶させることも容易に可能である。このようなデータ媒体が有する大きな記憶域に基づいて、勿論多数の他の全体画像を（勿論個別画像も）そこに格納してもよく、これによって、あたかも従来技術において使用されたメモリフィルムが保管されなければならなかったかのように、著しく実用的で便利なデータ保管が達成される。
【図面の簡単な説明】
【００３２】
【図１】本発明による放射線画像撮影装置の原理構成を示す概略図
【図２】全体画像を作成するための原理を示す概略図
【符号の説明】
【００３３】
１        放射線画像撮影装置
２        放射線源
３        放射線検出器
４        スタンド
５        ポール
６        スタンド
７        台
８        保持手段
９        放射線透過板
１０        制御装置
１１        画像処理装置
１２        モニタ
１３        ＣＤ−ＲＯＭ
Ｉ，ＩＩ，ＩＩＩ      画像撮影位置
Ｐ          患者
Ｂ１，Ｂ２，Ｂ３      個別画像
Ｇ          全体画像
Ｕ1，Ｕ２      部分的な重なり
【図１】
2006500126.tif 000003
【図２】
2006500126.tif 000004
【国際調査報告】
2006500126.tif 000005
2006500126.tif 000006
2006500126.tif 000007
2006500126.tif 000008